(57)【特許請求の範囲】
【請求項１】
踏板のボルト貫通孔と踏板上に立設された管状の立子棒とに挿通された立子棒ボルトの両端に、前記踏板に立子棒を固定するナットが螺合され、上端側のナットに、手摺の取付角度を手摺の勾配方向に調整可能な手摺受けが設けられ、該手摺受けは、上端側のナットを回すことにより、立子棒の軸周り方向における角度を調整可能とされたことを特徴とする手摺の取付構造。
【請求項２】
前記上端側のナットに上方から手摺受け支持金具が螺合され、該手摺受け支持金具に、手摺受けが水平軸周りに揺動可能に支持されたことを特徴とする請求項１記載の手摺の取付構造。
【請求項３】
踏板のボルト貫通孔と踏板上に立設された管状の立子棒とに挿通された立子棒ボルトの両端に、前記踏板に立子棒を固定するナットが螺合され、立子棒の上端に、中心軸とこれを取り囲む溝とを形成した上端側のナットと、前記溝に沿って摺動することにより立子棒の軸周り方向における角度を調整可能とされた二つの手摺受けと、手摺受けが離脱しないように前記溝を塞ぐ溝蓋とが設けられ、立子棒の位置で分割された手摺の端が、前記手摺受けに、水平軸周りに回動自在に取り付けられて取付角度を手摺の勾配方向に調整可能としたことを特徴とする手摺の取付構造。
【請求項４】
前記溝蓋に、上端側のナットに上方から螺合される蓋ボルトが形成され、上端側のナットと溝蓋とで手摺受けを挟圧可能とされたことを特徴とする請求項３に記載の手摺の取付構造。
【発明の詳細な説明】
【０００１】
【発明の属する技術分野】
本発明は、螺旋階段あるいは曲線階段における手摺の取付構造に関するものである。
【０００２】
【従来の技術】
一般に、螺旋階段では、人等の荷重を受ける踏板が、荷重を床や地面に伝える支柱に、直接又はブラケットを介して螺旋状に取り付けられており、この踏板の先端には、手摺を支持する立子棒が立設されている。また、踏板の水平を保ち、隣合う踏板同士にたわみ差を生じさせないように、隣合う二枚の踏板を貫通する立子棒の下端付近をそれぞれの踏板と固定することがある。
【０００３】
この螺旋階段や曲線階段は、現場ごとに測定された階高等の寸法に基いて製作され、その大部分は、工場で溶接を用いて組み立てられている。
【０００４】
【発明が解決しようとする課題】
支柱、踏板、立子棒及び手摺が工場で一体的に組み立てられた階段はその寸法が大きく重いため、その輸送及び設置にトレーラやクレーンが必要となって施工コストが高くなる。特に、階段の寸法が大きいと、小さい入口から搬入することができないため、リフォーム等のように既存の建物に設置できなくなる恐れがある。この場合、階段をコンパクトに分解して現場で組み立てる必要がある。
【０００５】
分解された階段を現場で組み立てるとき、踏板を正確な蹴上げ寸法で水平に配置する等、踏板、立子棒、手摺等の多数の部品を所定の精度を確保して確実に取り付ける必要がある。そのため、階段を設置するときのコストを低減するためには、組立作業の効率を向上させることが重要となる。本発明は、現場での階段の組立を容易にするために、特に手摺の取付構造を提供することを目的とする。
【０００６】
【課題を解決するための手段】
上記課題に鑑み、本発明は、階段の各部品を現場で組み立てることによって、現場への搬入時における小形化及び軽量化を図る場合において、螺旋階段等を現場で容易に組み立てるための手摺の取付構造を提供するものである。
【０００７】
踏板を支持する支柱は、最も長い部品であって取り扱いにくいため、さらにコンパクトに分解することが望まれる。しかし、この支柱は踏板から伝わる荷重を床や地面等に伝達する重要な部材であり、この支柱に作用する外力に抵抗するための十分な強度を確保する必要がある。
【０００８】
そこで、支柱を構成する支柱管を複数に分割し、現場で上下方向に接続する。このとき、上下に隣合う支柱管の間に接続具を介在させて、支柱管の接続部における横ずれを防止すれば、支柱に作用するせん断力に抵抗することができる。また、支柱管に支柱ボルトを挿通し、その両端にナットを螺合して支柱管を挟圧すれば、複数の支柱管が一体化され、支柱に作用する曲げモーメント及び軸方向力に抵抗することができる。
【０００９】
手摺を支持する立子棒を踏板の端に取り付けるとき、立子棒の下端が二枚の踏板を貫通する構造とすると、位置と大きさが正確な貫通孔を踏板に形成し、ねじや現場溶接を用いて立子棒と二枚の踏板のそれぞれとを固定する必要があるため、取付作業に多くの時間とコストを要する。
【００１０】
そこで、隣合う踏板同士を固定する管状の踏板固定部材を設ける。手摺を支持する立子棒を管状として、上段側の踏板を挟むように踏板固定部材の上方に配し、下段側の踏板に形成された孔と、踏板固定部材の内部と、上段側の踏板に形成された孔と、立子棒の内部とに立子棒ボルトを挿通する。この立子棒ボルトの両端にナットを螺合すれば、一度のナット締め作業で、隣合う踏板同士と踏板固定部材と立子棒とを挟圧して固定することができ、組立作業の時間とコストを低減できる。
【００１１】
このとき、踏板が踏板固定部材と立子棒又はナットでしっかりと挟圧されるため、踏板に形成される孔が立子棒ボルトの径よりも大きくても、踏板固定部材及び立子棒が横にずれることがなく、十分な強度を得ることができる。したがって、踏板に大きめの孔を形成することによって組立時の誤差を吸収でき、容易に立子棒を取り付けることができる。
【００１２】階段の途中で手摺の勾配が変化すると、それに応じて手摺の立子棒への取付角度を手摺の勾配方向に変化させる必要がある。しかし、螺旋階段や曲線階段の手摺の勾配は、蹴上げ寸法や曲線半径、踏板の縦横の幅がそれぞれ影響するため、手摺の勾配を数種類のある一定の角度に限定することができない。
【００１３】
したがって、手摺の取付角度がそれぞれ異なる数種類の既製品の中から立子棒を選択することができない。そのため、立子棒が手摺の勾配に応じて斜めに切断されて、この立子棒に手摺が現場溶接で取り付けられており、経験豊かな職人の技術がなければ製作できないため、作業時間やコストを増加させる要因となっている。
【００１４】
そこで、立子棒ボルトの上端に螺合されるナットに手摺受けを設け、この手摺受けに、手摺の勾配に応じて手摺の取付角度を勾配方向に調整する機能を備えれば、あらゆる勾配の手摺に対して既製品の手摺受けを使用できるため、現場溶接を行う必要がなく、手摺の取付を容易にすることができる。なお、立子棒の軸回り方向における手摺受けの取付角度は、立子棒ボルトの上端に螺合されるナットを回して調整することができる。
【００１５】
直線階段においては、蹴上げ寸法が階段の途中で変化しても、手摺は、その勾配が変化するだけである。しかし、螺旋階段や曲線階段においては、蹴上げ寸法や曲線半径が変化すると、手摺の勾配と共にひねりを伴って曲率が変化する。そのため、手摺は三次元的に変化する複雑な形状となり、その製作及び取付が難しくなる。
【００１６】
そこで、立子棒の位置で手摺を分割し、その端を立子棒に取り付けて一連の手摺を構成すれば、蹴上げ寸法や曲線半径が変化する場合でも、手摺を簡単な形状にすることができる。ここで、手摺の三次元的な微妙な変化は、立子棒の軸周り方向におけるそれぞれの手摺の取付角度及び勾配方向の取付角度を調整することによって吸収される。
【００１７】
このとき、立子棒の軸周りに回動自在な二つの手摺受けを設けて、これらの手摺受けに隣り合う手摺の端をそれぞれ取り付ければ、各手摺の立子棒の軸周り方向における取付角度を調整することができる。また、手摺を手摺受けに対して手摺の勾配方向に回動自在とすれば、手摺の勾配方向の取付角度も調整できる。
【００１８】
【発明の実施の形態】
以下、本発明に係る手摺の取付構造の実施の形態について、図面を用いて説明する。図１は本発明の手摺の取付構造を備えた階段の側面図である。この階段は、床１の基面２にベースプレート３を介して立設された支柱４に、人等の荷重を受ける踏板５を備えた踏板ユニット６が螺旋状に取り付けられ、螺旋状に連続した手摺７を支持する立子棒８が踏板５に立設された螺旋階段である。
【００１９】
図２は支柱の縦断面図、図３は接続具の斜視図、図４は天板の斜視図、図５はベースプレートの斜視図である。支柱４は上下方向に接続される複数の支柱管９と、上下に隣合う支柱管９の間に介在されて支柱管９の横ずれを防止する接続具１０と、支柱４の上端を塞ぐように配される天板１１と、支柱４の下端に配されて支柱４を床１の基面２に固定するベースプレート３と、支柱管９に挿通される複数の支柱ボルト１２と、複数の支柱管９を挟圧して一体化するように支柱ボルト１２に螺合される下ナット１３及び挟圧ナット１４とを備えている。
【００２０】
支柱管９は、その長さが短くかつ重量が軽くなるように、所定の数に分割された、人力での取扱が可能な鋼製の管である。接続具１０は、接続される二つの支柱管９にその両端が嵌合され、支柱管９の横ずれを防止するための鋼製の円柱とされる。この接続具１０の直径は支柱管９に嵌合できるだけの大きさとされ、その中心には支柱ボルト１２を貫通させるためのボルト貫通孔１５が形成されている。また、接続具１０の中央の周面には支柱管９と同じ外径の鍔１６が形成され、支柱管９への接続具１０の嵌まり込みを防止する。
【００２１】
天板１１は、支柱４の上端を塞ぐ鋼製の円板であり、その下面に形成された嵌合部１７を最上部の支柱管９ｂに嵌合して支柱管９に対する横ずれを防止するようにされている。この天板１１の外径は支柱管９の外径と同じ大きさとされ、嵌合部１７の外径は支柱管９ｂに嵌合できるだけの大きさとされる。また、天板１１の中心には支柱ボルト１２を貫通させるためのボルト貫通孔１８が形成されている。
【００２２】
ベースプレート３は、支柱４を床１の基面２に固定するように、支柱４の下端に配される鋼製の正方形板であり、床１の基面２にセットされたアンカーボルト１９、及びこのアンカーボルト１９に螺合されるナット２０によって、四隅のコーナー付近が基面２に固定されている。このベースプレート３の上面には、最下部の支柱管９ａに内嵌されるリング状の嵌合部２１が形成され、支柱４の横ずれを防止する。また、このベースプレート３の上面の中央には下ナット１３が形成され、最下部の支柱ボルト１２ａの下端を螺合するようにされている。
【００２３】
なお、支柱管９、接続具１０、天板１１及びベースプレート３は、鋼製に限らず、アルミニウムやプラスチック等で形成してもよく、その形状も円形、多角形等さまざまなものとすることができる。
【００２４】
支柱ボルト１２は、取扱可能な長さの複数のボルトであり、支柱管９及び接続具１０に挿通され、接続ナット２２の両側に螺合されることで上下方向に接続される。最下部の支柱ボルト１２ａの下端は、ベースプレート３と一体に形成された下ナット１３に螺合され、最上部の支柱ボルト１２ｂの上端は、天板１１を貫通して挟圧ナット１４が螺合される。この挟圧ナット１４を強く締め付けることによって、複数の支柱管９及び接続具１０が、天板１１とベースプレート３とで挟圧されて一体化される。
【００２５】
なお、図２に示すように、各支柱ボルト１２は取扱可能な長さとすればよく、支柱管９の重量を軽減するために支柱管９を短くする場合には、一本の支柱ボルト１２が複数の支柱管９に挿通され、複数の支柱管９と複数の接続具１０と一本の支柱ボルト１２とを備えたブロック２３が構成される。また、取扱可能な場合には、接続ナット２２で接続することなく、一本の支柱ボルト１２を全ての支柱管９に挿通して、全体を一つのブロック２３としてもよい。
【００２６】
各支柱ボルト１２の長さは、接続ナット２２をその下面が接続具１０の上面に当接するまで回転させたときに、各支柱ボルト１２の上端が接続ナット２２の途中に位置し、上側の支柱ボルト１２と接続できる長さとされる。
【００２７】
挟圧ナット１４の上側には、立子棒ボルト２４が螺合されて立設されている。天板１１の上面には、この立子棒ボルト２４を挿通するように、踊り場２５の手摺の端を支持する管状の端立子棒２６が配され、この端立子棒２６に嵌合される嵌合部２７が形成された蓋ナット２８が立子棒ボルト２４の上端に螺合されて、端立子棒２６を固定している。
【００２８】
図６は踏板ユニットの斜視図、図７は支柱に取り付けられた踏板ユニットの側面図である。踏板ユニット６は、略扇形の板から成る踏板５が二枚の略三角形の板から成るブラケット２９を介して踏板取付管３０と一体化されたものであり、踏板取付管３０が支柱４に外嵌されて、所定の数だけ支柱４に螺旋状に取り付けられる。なお、踏板取付管３０の内径は、支柱４に外嵌できるだけの大きさとされる。なお、踏板５が小さいときには、ブラケット２９を一枚だけとしたり、あるいはブラケット２９を設けずに踏板５を直接踏板取付管３０に取り付けてもよい。
【００２９】
踏板取付管３０の踏板５と反対側の面には、二つのビス孔３１が上下に形成されている。これらのビス孔３１に螺合された押しビス３２を支柱４の外周に当接して踏板ユニット６を仮止めし、それぞれの押しビス３２の回転量を調節することによって、踏板５が水平に調整される。
【００３０】
踏板取付管３０の踏板５と直角方向の面には、一つのリベット孔３３が中央に形成されており、このリベット孔３３と支柱のリベット孔とにリベット３４を挿通することによって、踏板ユニット６が支柱４に固定される。ここで、踏板取付管３０の位置は、リベット孔３３が支柱４の接続具１０に干渉しない位置とされる。なお、リベット３４の代わりに、テーパピンやタップネジ等を使用してもよい。
【００３１】
図８は踏板及び立子棒の配置を示す要部側面図、図９は立子棒設置部の断面図である。隣り合う踏板５同士は、その前端付近と後端付近とが平面的に重なり合うように配置されている。踏板５の先端付近には、踏板５が重なり合う部分に挟挿されて隣合う踏板５同士を固定する管状の踏板固定部材３５が配され、踏板のたわみ差が生じないようにされている。
【００３２】
この踏板固定部材３５の上方には、手摺７を支持する管状の立子棒８が、踏板固定部材３５と軸線を合わせて上段側の踏板５上に立設され、踏板固定部材３５と立子棒８とに立子棒ボルト３６が挿通されている。なお、踏板５の先端付近には、この立子棒ボルト３６を貫通させるためのボルト貫通孔３７が形成されている。
【００３３】
立子棒ボルト３６の上端には、立子棒８に嵌合されて立子棒８に対する横ずれを防止する嵌合部３８が形成された略円柱の蓋ナット３９が螺合されている。この蓋ナット３９の直径は立子棒８の外径と同じ大きさとされ、嵌合部３８の直径は立子棒８に嵌合できるだけの大きさとされる。立子棒ボルト３６の下端には、下段側の踏板５の下面側から挟圧ナット４０が螺合されている。
【００３４】
挟圧ナット４０は、踏板５と踏板固定部材３５と立子棒８とを挟圧するように締め付けられる。この挟圧ナット４０の締付けによって、一度のナット締め作業で、二枚の踏板５と踏板固定部材３５と立子棒８とを互いに固定することができる。なお、立子棒ボルト３６の長さは、その上端が蓋ナット３９の途中に位置するように調整される。
【００３５】
踏板５と踏板固定部材３５と立子棒８とが挟圧されることによって、これらの間には強い摩擦力が発生する。この摩擦力を利用することにより、立子棒ボルト３６とボルト貫通孔３７の内周面を接触させて水平力に抵抗させる必要がなくなるため、踏板５のボルト貫通孔３７を立子棒ボルト３６の径よりも大きくすることができる。そのため、踏板５や立子棒８を組み立てるときの余裕代を確保でき、作業性が向上する。
【００３６】
蓋ナット３９の上側には、下端付近の周面にねじが形成された略円柱の手摺受け支持金具４１が螺合されている。この手摺受け支持金具４１の上端には、軸方向の切込４２が形成され、連続した円柱状の手摺７が取り付けられる円板状の手摺受け４３の一部が挟挿されている。
【００３７】
この手摺受け４３は、手摺受け支持金具４１に、ピン４４を介して揺動可能に支持され、手摺７の取付角度を手摺７の勾配方向に調整可能とされている。また、この手摺受け４３は、蓋ナット３９を回すことにより立子棒８の軸周り方向における角度を調整可能とされている。手摺受け４３の手摺７との接触面は、手摺７の一方の側面の下部付近を取り付けるように、曲面に形成され、ビス４５で手摺７を固定するためのビス孔４６が形成されている。なお、この手摺受け４３は、多角形状の手摺７を取り付けるように、手摺７との接触面を折面に形成してもよい。
【００３８】
次に、階段を組み立てるときの手順について説明する。まず、四本のアンカーボルト１９を床１の基面２から上方に突出するようにセットしておく。このアンカーボルト１９にコーナー付近の孔を挿通させて、ベースプレート３を基面２に配置する。アンカーボルト１９にナット２０を螺合して、ベースプレート３を基面２に固定する。
【００３９】
ベースプレート３の上面に形成された下ナット１３に、最下部の支柱ボルト１２ａを螺合して立設する。最下部の支柱管９ａをベースプレート３の嵌合部２１に外嵌して、ベースプレート３上に立設する。このとき、最下部の支柱ボルト１２ａは、最下部の支柱管９ａを挿通する。
【００４０】
最下部の支柱管９ａの上端に接続具１０の下側を嵌合させ、その鍔１６の下面を支柱管９ａの上端面に当接させる。このとき、最下部の支柱ボルト１２ａは、接続具１０のボルト貫通孔１５を挿通する。上側の支柱管９の下端を接続具１０の上側に外嵌して、その下端面を鍔１６の上面に当接させる。この作業を繰り返して、所定の数の支柱管９を、接続具１０を介在させて接続する。
【００４１】
所定の数だけ接続された支柱管９の上端に、接続具１０の下側を嵌合させ、最下部の支柱ボルト１２ａの上端に接続ナット２２を螺合する。この接続ナット２２を締め付けて上端の接続具１０を介して支柱管９を挟圧し、組立途中の支柱４を安定させて、第一ブロック２３ａの組立が完了する。
【００４２】
接続ナット２２の上側に次の支柱ボルト１２を螺合して支柱ボルト１２を接続し、第一ブロック２３ａと同様の手順で、第二ブロック２３から最終ブロック２３ｂまでのブロック２３を順番に組み立てる。最終ブロック２３ｂでは、上端の接続具１０の代わりに天板１１を配し、挟圧ナット１４を強く締め付けて、支柱４全体を一体化して、支柱４の組立が完了する。
【００４３】
踏板取付管３０に支柱４を挿通させて、所定の数の踏板ユニット６をベースプレート３上に積み上げる。踏板５の高さが踊り場２５の高さ（Ｈ）よりも所定の蹴上げ寸法（ｈ）だけ低くなるように、一番上の踏板ユニット６を持ち上げて、その向きを所定の方向に調整する。二つのビス孔３１に押しビス３２を螺合し、踏板５が水平になるように押しビス３２の回転量を調整して仮止めする。
【００４４】
同様の手順で、他の踏板ユニット６を上から順に、螺旋状に配置して押しビス３２で仮止めする。なお、上段の踏板ユニット６から順に仮止めするのは、蹴上げ寸法（ｈ）の微調整を一番下の段で行うためである。
【００４５】
隣合う踏板５が平面的に重なり合う部分に、踏板固定部材３５を横から挿入して、ボルト貫通孔３７と位置を合わせる。なお、踏板固定部材３５を配することによって、蹴上げ寸法（ｈ）と各踏板５の平面角度を正しく設定することができる。
【００４６】
この踏板固定部材３５と軸線を合わせて、上段側の踏板５の上面に立子棒８を立設する。踏板固定部材３５、立子棒８及びボルト貫通孔３７に立子棒ボルト３６を挿通して、立子棒８の上端に蓋ナット３９を螺合し、下段側の踏板５の下面側から挟圧ナット４０を螺合する。このとき、蓋ナット３９には、手摺受け４３を支持する手摺受け支持金具４１を螺合しておく。
【００４７】
蓋ナット３９を回して手摺７の方向と手摺受け４３の方向を一致させ、ビス４５で手摺７を固定する。ここで、手摺受け４３は揺動可能であり、手摺７に密接するように手摺７の勾配に応じて取付角度を調整することができる。
【００４８】
踏板ユニット６のリベット孔３３の外側から、支柱管９に孔をあける。立子棒ボルト３６の挟圧ナット４０を締め付け、踏板ユニット６及び支柱管９のリベット孔にリベット３４を挿入して固定し、階段の組立が完了する。
【００４９】
上記構成によれば、寸法が小さくかつ軽量な部品に分解された階段をボルトを利用して現場で組み立てることによって、十分な強度を有する階段を既設の建物内等に設置することができる。また、この階段は、誤差を吸収する部分が設けられているため、精度よく容易に組み立てることができる。
【００５０】
図１０及び図１１に、リング状手摺を備えた踏板ユニットの実施の形態を示す。図１０はリング状手摺を備えた踏板ユニットの斜視図、図１１は支柱に取り付けられたリング状手摺を備えた踏板ユニットの側面図である。
【００５１】
この踏板ユニット５４は図６及び図７の踏板ユニット６とほぼ同じものであるが、内側手摺としてのリング状手摺５５を備えている。このリング状手摺５５は、支柱４を取り囲む断面円形のリング５６と、このリング５６を踏板取付管３０の外周面の上端付近と連結する連結材５７とから成り、リング５６は踏板５の上方に位置するように配されている。
【００５２】
内側手摺に外側手摺と同様の螺旋状の手摺を用いる場合、手摺の勾配が大きくなり過ぎるため手が滑りやすいが、各踏板ユニット５４にリング状手摺５５を備えることによって、梯子状の手摺が構成されるため手が滑らない。また、踏幅が小さくなる踏板５の内側付近がリング５６によって仕切られるため、支柱４の直径が小さいときにも所定の踏幅を確保できる。そのため、支柱４を細くでき、コストを縮減することができる。
【００５３】
なお、リング状手摺５５は、踏板取付管３０と一体化されたものだけでなく、別の部品としてもよい。この場合、リング状手摺の中心には、踏板取付管３０に外嵌されるリング状手摺取付管を設けておけばよい。
【００５４】
図１２及び図１３に、支圧具を介在させて踏板と固定される踏板固定部材及び立子棒の実施の形態を示す。図１２は支圧具が介在する立子棒設置部の断面図、図１３は支圧具の斜視図である。支圧具５８は、踏板固定部材３５又は立子棒８に嵌合される嵌合部５９と、座金６０とから成り、立子棒ボルト３６が嵌挿されるボルト嵌挿孔６１が中心に形成されている。
【００５５】
図８及び図９では、踏板固定部材３５又は立子棒８の端面と、踏板５とが直接圧接されるのに対して、この実施の形態では、両者が支圧具５８を介して圧接されている。すなわち、踏板固定部材３５及び立子棒８に支圧具５８の嵌合部５９を嵌合し、踏板５に形成されたボルト貫通孔３７、踏板固定部材３５、立子棒８、及び支圧具５８のボルト嵌挿孔６１に立子棒ボルト３６を挿通し、この立子棒ボルト３６に螺合された蓋ナット３９及び挟圧ナット４０を締め付けることによって、踏板固定部材３５又は立子棒８の端面と、踏板５とが支圧具５８を介して間接的に圧接されている。
【００５６】
踏板固定部材３５又は立子棒８の端面は座金６０の裏面に当接し、座金６０の表面は踏板５に圧接されている。したがって、踏板５の圧接される面積を大きくすることができるため、踏板５が強度の低い材質で成形される場合にも強い力で締め付けることができる。
【００５７】
支圧具５８のボルト嵌挿孔６１は、立子棒ボルト３６を嵌挿できるだけの大きさとされ、立子棒ボルト３６に対する支圧具５８の横ずれを防止している。また、支圧具５８の嵌合部５９は、踏板固定部材３５及び立子棒８に嵌合できるだけの大きさとされ、支圧具５８に対する踏板固定部材３５及び立子棒８の横ずれを防止しているため、挟圧ナット４０を強く締め付ける前でも、立子棒ボルト３６に対して、踏板固定部材３５及び立子棒８が横ずれしない。そのため、踏板固定部材３５の軸線と立子棒８の軸線とを合わせる手間が省ける。
【００５８】
立子棒ボルト３６は、蓋ナット３９又は挟圧ナット４０が位置する部分だけにねじが形成され、支圧具５８を立子棒ボルト３６の軸方向にスライド可能としている。そのため、蓋ナット３９及び挟圧ナット４０を締め付けるだけで踏板固定部材３５及び立子棒８を踏板５に固定することができる。なお、支圧具５８のボルト嵌挿孔６１と立子棒ボルト３６の全長とにねじを形成して、支圧具５８を立子棒ボルト３６に螺合すれば、各踏板５を支圧具５８だけで挟みつけることができるため、安全性をさらに向上させることができる。
【００５９】
図１４〜図１８に、立子棒の軸周りに摺動する手摺受けの実施の形態を示す。図１４は立子棒の軸周りに摺動する手摺受けをセットした立子棒の斜視図、図１５は立子棒の軸周りに摺動する手摺受けをセットした立子棒の断面図、図１６は手摺受けが摺動する蓋ナットの斜視図、図１７は立子棒の軸周りに摺動する手摺受けの斜視図、図１８は手摺受けを挟圧する溝蓋の斜視図である。
【００６０】
この実施の形態は、立子棒８の上端に、中心軸６２とこれを取り囲む溝６３を形成した蓋ナット６７と、溝６３に沿って摺動する二つの手摺受け６４と、手摺受け６４が離脱しないように溝６３を塞ぐ溝蓋６５とが設けられ、立子棒８の位置で分割された手摺６６の端が、手摺受け６４に勾配方向に回動自在に取り付けられた階段の手摺の取付構造に関するものである。
【００６１】
立子棒ボルト３６の上端には、蓋ナット６７が螺合され、この蓋ナット６７の中心には、上方に突出する中心軸６２が形成されている。また、蓋ナット６７の外周には、上方に突出する壁６８が形成され、この壁６８と中心軸６２とナット本体６９とから、中心軸６２を取り囲む溝６３が構成されている。ナット本体６９の下側には、立子棒８に嵌合される嵌合部７０が形成され、立子棒８に対する蓋ナット６７の横ずれが防止されている。
【００６２】
手摺受け６４は、溝６３に沿って摺動する三日月状の摺動部７１と、手摺６６が取り付けられる取付部７２とから成る。摺動部７１の外側の面は、壁６８の内側と同じ曲率に形成されて、壁６８に密接するようにされている。また、摺動部７１の中央は、前後への移動を止めるように溝６３に嵌め込むことができるだけの厚さとされる。
【００６３】
取付部７２は、手摺６６を取り付けるピン７３が挿通するピン孔７４が、端部付近に形成された二枚の板から成り、壁６８の外に突出するように、摺動部７１の外側の面に並設されている。なお、板幅の方向は、溝６３の面に直交する方向とされる。取付部７２の下端から摺動部７１の下端までの長さは、壁６８の高さと同一あるいは長くして、摺動部７１の下面がナット本体６９の上面に密接するのを妨げないようにされている。
【００６４】
蓋ナット６７の上方には、溝６３を塞いで手摺受け６４の離脱を防止する溝蓋６５が配されている。この溝蓋６５は、直径が蓋ナット６７と同じ大きさの上板７５と、上板７５の外周に下方に向けて形成された鍔７６と、上板７５の下面中央に突出形成されて蓋ナット６７に螺合される蓋ボルト７７とから成り、この溝蓋６５と蓋ナット６７とで手摺受け６４を挟圧することにより、手摺受け６４の摺動が阻止される。なお、鍔７６の高さは、摺動部７１の上端から取付部７２の上端までの長さと同一あるいは短くして、摺動部７１の上面が上板７５に密接するのを妨げないようにされる。
【００６５】
次に、手摺６６を取り付けるときの手順を説明する。なお、この手摺６６は、図８及び図９の手摺７のように連続したものではなく、立子棒８の位置で分割され、手摺受け６４に端が取り付けられるものである。
【００６６】
まず、立子棒ボルト３６に螺合された蓋ナット６７を締め付けて固定する。このとき、立子棒ボルト３６の先端が蓋ナット６７の途中に位置するように調整しておく。蓋ナット６７の溝６３に摺動部７１を嵌め込んで手摺受け６４を設置する。なお、立子棒８の両側に手摺６６が取り付けられるように、二つの手摺受け６４を設置する。
【００６７】
蓋ナット６７に蓋ボルト７７を螺合して溝蓋６５を配し、手摺受け６４の離脱を規制する。このとき、手摺受け６４が溝６３に沿って摺動できるように、溝蓋６５を強く締め過ぎないようにする。手摺受け６４を摺動させて、取付部７２の向きを手摺６６の向きと合わせる。手摺６６の端を取付部７２の二枚の板の間に挿入し、手摺６６と取付部７２のピン孔７４の位置を合わせ、ピン７３を挿通して手摺６６を回動自在に取り付ける。
【００６８】
溝蓋６５を強く締め付けると、蓋ナット６７と溝蓋６５とが摺動部７１を上下に挟圧し、手摺６６の取り付けが完了する。このとき、手摺受け６４は摺動しないため、手摺６６が立子棒８を軸にして揺れることはない。なお、中心軸６２の長さは、摺動部７１の上下方向の長さよりも短くされ、摺動部７１を挟圧する邪魔にならないようにされている。
【００６９】
この手摺受け６４では、手摺６６を取り付けるまで、手摺受け６４を立子棒８の軸周りに摺動可能とし、手摺６６は手摺受け６４に回動自在に取り付けられるため、手摺６６の勾配や曲率が変化する場合にも、容易に手摺６６を取り付けることができる。さらに、手摺６６が立子棒８の位置で分割されているため、手摺６６の部材長が短く、既設の建物の中に階段を設置するときの施工性を向上させることができる。
【００７０】
図１９及び図２０に、立子棒ボルトに螺合される二種類の手摺受けの実施の形態を示す。図１９は立子棒ボルトに螺合された二種類の手摺受けの斜視図、図２０は立子棒ボルトに螺合された二種類の手摺受けの断面図である。この実施の形態は、立子棒ボルト３６に螺合され、立子棒８の軸周りに回動自在とされた二種類の手摺受け７８、７９に関するもので、上下に重ねるように配されている。
【００７１】
下側の手摺受け７８は、蓋ナット８０の側面に、手摺６６が取り付けられる取付部８１が形成されたもので、立子棒ボルト３６が螺合するねじ孔８２が上下に貫通している。取付部８１は、一枚の板から形成され、その先端付近に形成されたピン孔８３に挿通されるピン８４を介して、手摺６６を勾配方向に回動自在に支持する。また、上側の手摺受け７９は、直径が蓋ナット８０と同じ大きさで下面の中心にねじ孔８５が形成されたナット８６の側面に、下側の手摺受け７８と同じ取付部８１が形成されたものである。
【００７２】
図２１及び図２２に、周面に手摺の取付部が形成された立子棒の立子棒ボルトに螺合された手摺受けの実施の形態を示す。図２１は取付部を備えた立子棒の立子棒ボルトに螺合された手摺受けの斜視図、図２２は取付部を備えた立子棒の立子棒ボルトに螺合された手摺受けの断面図である。
【００７３】
この実施の形態は、周面に形成された取付部８１に手摺６６が取り付けられる手摺受けとしての立子棒８７と、立子棒８７の立子棒ボルト３６に螺合され、立子棒８７の軸周りに回動自在とされた手摺受け８８とに関するものである。
【００７４】
立子棒８７は、その周面の上端付近に手摺６６の取付部８１が形成され、その軸周りに回動自在な手摺受けとしての機能を備えている。この取付部８１は、図１９及び図２０の取付部８１と同じものである。手摺受け８８は、蓋ナット８９の側面に、手摺６６の取付部８１が形成されたもので、下面の中心にねじ孔９０が形成されている。
【００７５】
【発明の効果】
この発明に係る手摺の取付構造を備えた階段では、階段の各部品を現場で組み立てることにより、現場に搬入する部品の小形化及び軽量化を図ったため、工場からの輸送や現場での設置にトレーラやクレーン等を必要とせず、リフォーム工事等において小さな入口からの部品の搬入が可能となり、既設の建物内にも容易に階段を設置することができる。
【００７６】また、誤差を吸収する部分を設け、ボルトを利用して組み立てることによって、高度な経験を要する現場溶接が不要となり、容易に階段を組み立てることができるため、安全性が向上すると共に階段の設置の時間及びコストを低減することができる。特に、手摺受けは、手摺の勾配に応じて、手摺の取付角度を調整可能とするため、階段の円周の大きさの変動によって手摺の勾配が変化しても、その勾配の変化に合わせて勾配方向の角度を調整することができる。
【００７７】
また、立子棒の位置で手摺を分割することで、アール加工が不要となり、複雑な形状の手摺も容易に取り付けることができる。この場合、手摺の長さが短くなるため、既設の建物に階段を設置する場合にも作業が容易になる。
【図面の簡単な説明】
【図１】  本発明の手摺の取付構造を備えた階段の側面図
【図２】  支柱の縦断面図
【図３】  接続具の斜視図
【図４】  天板の斜視図
【図５】  ベースプレートの斜視図
【図６】  踏板ユニットの斜視図
【図７】  支柱に取り付けられた踏板ユニットの側面図
【図８】  踏板及び立子棒の配置を示す要部側面図
【図９】  立子棒設置部の断面図
【図１０】  リング状手摺を備えた踏板ユニットの斜視図
【図１１】  支柱に取り付けられたリング状手摺を備えた踏板ユニットの側面図
【図１２】  支圧具が介在する立子棒設置部の断面図
【図１３】  支圧具の斜視図
【図１４】  立子棒の軸周りに摺動する手摺受けをセットした立子棒の斜視図
【図１５】  立子棒の軸周りに摺動する手摺受けをセットした立子棒の断面図
【図１６】  手摺受けが摺動する蓋ナットの斜視図
【図１７】  立子棒の軸周りに摺動する手摺受けの斜視図
【図１８】  手摺受けを挟圧する溝蓋の斜視図
【図１９】  立子棒ボルトに螺合された二種類の手摺受けの斜視図
【図２０】  立子棒ボルトに螺合された二種類の手摺受けの断面図
【図２１】  取付部を備えた立子棒の立子棒ボルトに螺合された手摺受けの斜視図
【図２２】  取付部を備えた立子棒の立子棒ボルトに螺合された手摺受けの断面図
【符号の説明】
４    支柱
５    踏板
６    踏板ユニット
７    手摺
８    立子棒
９    支柱管
１０  接続具
１２  支柱ボルト
１３  下ナット
１４  挟圧ナット
２２  接続ナット
３２  押しビス
３４  リベット
３５  踏板固定部材
３６  立子棒ボルト
３９  蓋ナット
４０  挟圧ナット
４３  手摺受け
【図１】
0003703386.tif 000002
【図２】
0003703386.tif 000003
【図３】
0003703386.tif 000004
【図４】
0003703386.tif 000005
【図５】
0003703386.tif 000006
【図６】
0003703386.tif 000007
【図７】
0003703386.tif 000008
【図８】
0003703386.tif 000009
【図９】
0003703386.tif 000010
【図１０】
0003703386.tif 000011
【図１１】
0003703386.tif 000012
【図１２】
0003703386.tif 000013
【図１３】
0003703386.tif 000014
【図１４】
0003703386.tif 000015
【図１５】
0003703386.tif 000016
【図１６】
0003703386.tif 000017
【図１７】
0003703386.tif 000018
【図１８】
0003703386.tif 000019
【図１９】
0003703386.tif 000020
【図２０】
0003703386.tif 000021
【図２１】
0003703386.tif 000022
【図２２】
0003703386.tif 000023